(57)【要約】【課題】仮囲いのコーナー部においても容易にパネルを管材に固定できる固定具を提供する。【解決手段】固定具１は、内側が管体３０１の外壁に対応するように湾曲する顎部１０３と、顎部１０３に対して軸体１０２によって回動可能に連結され、内側が管体３０１の外壁に対応するように湾曲するアーム部１０１と、一端が顎部１０３の先端に配置されるピン１０１Ｄに挿通部１０１Ｃを介して回動可能に取り付けられ、他端がアーム部１０１の先端部に設けられる締結具受部１０１Ａに嵌め込まれる回動ボルト１０１Ｂと、回動ボルト１０１Ｂを締め付けるナット１０１Ｅと、互いに背面方向に先端が屈曲する側面視略Ｊ字形状の２つのフック２０４と、両端部にそれぞれ一つずつのフック２０４を有し、管体３０１の外壁に対応するように湾曲するアーチ状の湾曲部２０３と、顎部１０３と湾曲部２０３とを共締めする締結ボルト及び締結ナットと、を備える。【選択図】図１
2019027442.tif 000002
【特許請求の範囲】
【請求項１】
内側が管体の外壁に対応するように湾曲する顎部と、
前記顎部に対して軸体によって回動可能に連結され、内側が前記管体の外壁に対応するように湾曲するアーム部と、
一端が前記顎部の先端に配置されるピンに挿通部を介して回動可能に取り付けられ、他端が前記アーム部の先端部に設けられる締結具受部に嵌め込まれる回動ボルトと、
前記回動ボルトを締め付けるナットと、
互いに背面方向に先端が屈曲する２つのフックと、
両端部にそれぞれ一つずつの前記フックを有し、前記管体の外壁に対応するように湾曲する湾曲部と、
前記顎部と、前記湾曲部とを共締めする締結ボルト及び締結ナットと、
を備える固定具。
【請求項２】
前記締結ボルト及び前記締結ナットは、
前記顎部と前記湾曲部との距離を調整する請求項１に記載の固定具。
【請求項３】
縦方向に延びる管体である建地と、
前記建地に対して横方向に係止される管体である横桟と、
幅方向の端部に縦方向に設けられる折曲縁部を備えるパネルと、
前記折曲縁部に前記フックがかけられ、前記建地を前記顎部及び前記アーム部が把持するように係止される請求項１又は請求項２に記載の固定具と、
を備える仮囲い。
【発明の詳細な説明】
【技術分野】
【０００１】
本発明は、固定具及び仮囲いに関するものである。
【背景技術】
【０００２】
工事現場などの仮囲いのパネルは、幅方向両端部にパネルの板材を折り曲げて形成する折曲縁部を有する。このパネルは縦方向に立てられる管材である建地、建地に横に張り巡らされた管材である横桟、及び建地に斜めに取り付けられる斜方管によって形成される支持フレームの横桟に固定具によって係止される（例えば、特許文献１。）。
【０００３】
パネルの横桟への固定は、支持フレームの横桟に、側面視が略Ｊ字形状を有する二つのフックと、このフックを両端部に具備し、横桟の外側を回り込む形状をなす把持部と、把持部に設けられるボルトと、を備えるフック材を取り付け、パネルの折り曲げ縁部にフックをひっかけてボルトを締めることにより行われている。
【０００４】
しかし、横桟にこの固定具を取り付けることができない部分がある場合がある。例えば、横桟と建地とが結合される部分のパネルの折曲縁部や、仮囲いのコーナー部などの横桟の端部が挙げられる。
【０００５】
これらの部分においては、建地が別途固定具により横桟に取り付けられるため、この固定具や建地が干渉してフック材を取り付けることができなかった。
【０００６】
このため、従来は折曲縁部にひっかけられたフックを針金によって引っ張りながら建地などに固定せざるを得ず、見栄え、耐久性が悪く、作業効率も悪いものとなっていた。
【先行技術文献】
【特許文献】
【０００７】
【特許文献１】特許第４１３３３１２号公報
【発明の概要】
【発明が解決しようとする課題】
【０００８】
本発明の解決しようとする課題は、仮囲いのコーナー部においても容易にパネルを管材に固定できる固定具を提供することである。
【課題を解決するための手段】
【０００９】
本発明は、内側が管体の外壁に対応するように湾曲する顎部と、前記顎部に対して軸体によって回動可能に連結され、内側が前記管体の外壁に対応するように湾曲するアーム部と、一端が前記顎部の先端に配置されるピンに挿通部を介して回動可能に取り付けられ、他端が前記アーム部の先端部に設けられる締結具受部に嵌め込まれる回動ボルトと、前記回動ボルトを締め付けるナットと、互いに背面方向に先端が屈曲する２つのフックと、両端部にそれぞれ一つずつの前記フックを有し、前記管体の外壁に対応するように湾曲する湾曲部と、前記顎部と前記湾曲部とを共締めする締結ボルト及び締結ナットと、を備える固定具を提供する。
【発明の効果】
【００１０】
本発明によれば、仮囲いのコーナー部においても容易にパネルを管材に固定できる固定具を提供することができる。
【図面の簡単な説明】
【００１１】
【図１】固定具の斜視図。
【図２】固定具の正面図。
【図３】固定具の背面図。
【図４】固定具の右側面図。
【図５】固定具の平面図。
【図６】固定具の底面図。
【図７】固定具の使用状態を示す図。
【発明を実施するための形態】
【００１２】
以下、本発明の実施形態の一例に係る固定具１を、図面を参照しながら説明する。
【００１３】
図１は固定具１の斜視図、図２は固定具１の正面図、図３は固定具１の背面図、図４は固定具１の右側面図、図５は固定具１の平面図、図６は固定具１の底面図である。また、図７は固定具１の使用状態を示す図である。
【００１４】
図１から図７に示すように、固定具１は、仮囲いの管体３０１を把持する把持部１０と、フックを有するフック部２０と、を備える。ここで、仮囲いは、縦方向に延びる管体３０１である建地と、建地に対して横方向に係止される管体３０１である横桟と、板状部材及びこの板状部材の幅方向端部に縦方向に配置される折曲縁部３０３を有するパネル３０２と、を備える。
【００１５】
把持部１０は、側面視が略Ｌ字形状をなし、内側が管体３０１の外壁に対応するように湾曲する顎部１０３と、顎部１０３と軸体１０２によって回動可能に連結され、内側が管体３０１の外壁に対応するように湾曲するアーム部１０１と、一端が顎部１０３の先端に配置されるピン１０１Ｄに挿通部１０１Ｃを介して回動可能に取り付けられ、他端がアーム部１０１の先端部に設けられる締結具受部１０１Ａに嵌め込まれる回動ボルト１０１Ｂと、回動ボルト１０１Ｂを締め付けるナット１０１Ｅと、を備える。
【００１６】
フック部２０は、互いに背面方向に先端が屈曲する側面視略Ｊ字形状の２つのフック２０４と、両端部にそれぞれ一つずつのフック２０４を有し、管体３０１の外壁に対応するように湾曲するアーチ状の湾曲部２０３と、を備える。
【００１７】
顎部１０３の底面の中央部と、湾曲部２０３の上端部とには締結ボルト２０１を挿通する挿通孔が設けられ、この挿通孔に挿通される締結ボルト２０１及び締結ナット２０２によって共締めされる。
【００１８】
締結ボルト２０１を緩めると、把持部１０とフック部２０との距離が広がる。従って、フック２０４がひっかける対象である折曲縁部３０３と、管体３０１との距離が離れている場合などにも締結ボルト２０１の締め付け長さを調整することによりパネル３０２を管体３０１に固定できるという効果がある。
【００１９】
次に、固定具１の使用方法について説明する。まず、仮囲いのパネル３０２に設けられる折曲縁部３０３にフック２０４をひっかける。
【００２０】
次に、顎部１０３を管体３０１に合わせ、アーム部１０１を回して顎部１０３とともに管体３０１に抱き着ける。この際、折曲縁部３０３と管体３０１の距離が大きい場合には締結ナット２０２を緩めて締結ボルト２０１を伸ばし、把持部１０を管体３０１側に変位させる。
【００２１】
次に、ナット１０１Ｅを絞めて把持部１０に管体３０１を把持させる。
【００２２】
最後に、締結ナット２０２を増し締めして管体３０１とフック２０４との距離を縮めることにより、パネル３０２を管体３０１に固定する。
【００２３】
以上述べたように、本実施形態の固定具１は、内側が管体３０１の外壁に対応するように湾曲する顎部１０３と、顎部１０３に対して軸体１０２によって回動可能に連結され、内側が管体３０１の外壁に対応するように湾曲するアーム部１０１と、一端が顎部１０３の先端に配置されるピン１０１Ｄに挿通部１０１Ｃを介して回動可能に取り付けられ、他端がアーム部１０１の先端部に設けられる締結具受部１０１Ａに嵌め込まれる回動ボルト１０１Ｂと、回動ボルト１０１Ｂを締め付けるナット１０１Ｅと、互いに背面方向に先端が屈曲する側面視略Ｊ字形状の２つのフック２０４と、両端部にそれぞれ一つずつのフック２０４を有し、管体３０１の外壁に対応するように湾曲するアーチ状の湾曲部２０３と、顎部１０３と湾曲部２０３とを共締めする締結ボルト及び締結ナットと、を備える。
【００２４】
また、本実施形態の仮囲いは、縦方向に延びる管体３０１である建地と、建地に対して横方向に係止される管体３０１である横桟と、幅方向の端部に縦方向に設けられる折曲縁部３０３を備えるパネル３０２と、折曲縁部３０３にフック２０４がかけられ、建地を顎部１０３及びアーム部１０１が把持するように係止される固定具１と、を備える。
【００２５】
従って、本実施形態の固定具１は縦方向の管体３０１である建地に対しても取り付けることが可能となり、横方向の管体３０１である桟材と建地が干渉する場合にも建地に取り付けることによりパネル３０２を管体３０１に固定することが可能となるという効果がある。
【符号の説明】
【００２６】
１  固定具
１０  把持部
２０  フック部
１０１  アーム部
１０１Ａ  締結具受部
１０１Ｂ  回動ボルト
１０１Ｃ  挿通部
１０１Ｄ  ピン
１０１Ｅ  ナット
１０２  軸体
１０３  顎部
２０１  締結ボルト
２０２  締結ナット
２０３  湾曲部
２０４  フック
３０１  管体
３０２  パネル
３０３  折曲縁部
【図１】
2019027442.tif 000003
【図２】
2019027442.tif 000004
【図３】
2019027442.tif 000005
【図４】
2019027442.tif 000006
【図５】
2019027442.tif 000007
【図６】
2019027442.tif 000008
【図７】
2019027442.tif 000009